(57)【特許請求の範囲】
【請求項１】
複数の項目から成る帳票の画像データについて、当該帳票の秘匿すべき各項目情報をブラインド処理する画像入力システムであって、
前記帳票の前記各項目情報の記入位置に対応する位置に各ブラインドマークが記入されているマーク記入票から画像データを読み取るための読取手段と、
前記マーク記入票の画像データから前記各ブラインドマークの記入されている各マーク領域を検出するマーク領域検出手段と、
前記帳票から読み取った画像データの前記各項目情報に対応する各領域を前記各マーク領域に基づいて各ブラインドデータに変換して加工画像データを生成する領域加工部と、
前記加工画像データを格納するための記憶部とを含み、
前記マーク記入票には、前記帳票の各項目に付与された権限情報を示す形式で前記各ブラインドマークが記入され、
前記マーク領域検出手段は、前記記入された各ブラインドマークの形式を読み取って権限情報を検出し、
前記領域加工部は、前記加工画像データ生成に際し、権限情報に応じた項目情報に対応する各領域を各ブラインドデータに変換することを特徴とする画像入力システム。
【請求項２】
前記マーク記入票は、前記帳票の裏面に形成されることを特徴とする請求項１記載の画像入力システム。
【請求項３】
前記マーク記入票は、前記帳票と別の帳票であり、前記帳票の画像データを読み取る直前または直後に前記マーク記入票の画像データを読み取ることを特徴とする請求項１記載の画像入力システム。
【請求項４】
前記権限情報を示す形式とは、該各権限情報に対応して各ブラインドマークに付された各色であり、
前記マーク領域検出手段は、前記各ブラインドマークの色を読み取って各権限情報を検出することを特徴とする請求項１乃至３のいずれか１項に記載の画像入力システム。
【請求項５】
前記権限情報を示す形式とは、該各権原情報に対応して設定された各ブラインドマークの記載方法であり、
前記マーク領域検出手段は、前記各ブラインドマークの記載方法を読み取って各権限情報を検出することを特徴とする請求項１乃至３のいずれか１項に記載の画像入力システム。
【請求項６】
複数の項目から成る帳票の画像データについて、当該帳票の秘匿すべき各項目情報をブラインド処理する方法であって、
前記帳票の前記各項目情報の記入位置に対応する位置に各ブラインドマークが記入されているマーク記入票から画像データを読み取ること、
前記マーク記入票の画像データから前記各ブラインドマークの記入されている各マーク領域を検出すること、
前記帳票から読み取った画像データの前記各項目情報に対応する各領域を前記各マーク領域に基づいて各ブラインドデータに変換して加工画像データを生成すること、
前記加工画像データを記憶部に格納することと、
前記マーク記入票には、前記帳票の各項目に付与された権限情報を示す形式で前記各ブラインドマークが記入され、
前記マーク領域の検出に際し、前記記入された各ブラインドマークの形式を読み取って権限情報を検出し、
前記加工画像データの生成に際し、権限情報に応じた項目情報に対応する各領域を各ブラインドデータに変換することを特徴とする帳票ブラインド処理方法。
【請求項７】
前記マーク記入票は、前記帳票の裏面に形成されることを特徴とする請求項６記載の帳票ブラインド処理方法。
【請求項８】
前記マーク記入票は、前記帳票と別の帳票であり、前記帳票の画像データを読み取る直前または直後に前記マーク記入票の画像データを読み取ることを特徴とする請求項６記載の帳票ブラインド処理方法。
【請求項９】
前記権限情報を示す形式とは、該各権限情報に対応して各ブラインドマークに付された各色であり、
前記マーク領域の検出に際し、前記各ブラインドマークの色を読み取って各権限情報を検出することを特徴とする請求項６乃至８のいずれか１項に記載の帳票ブラインド処理方法。
【請求項１０】
前記権限情報を示す形式とは、該各権原情報に対応して設定された各ブラインドマークの記載方法であり、
前記マーク領域の検出に際し、前記各ブラインドマークの記載方法を読み取って各権限情報を検出することを特徴とする請求項６乃至８のいずれか１項に記載の帳票ブラインド処理方法。
【発明の詳細な説明】
【技術分野】
【０００１】
本発明は、紙文書、伝票などの帳票画像を入力する画像入力システム、画像入力方法、及びその方法を実現するコンピュータプログラムに関する。
【背景技術】
【０００２】
画像データ化の対象となる紙文書や伝票には、その画像データを参照する際、権限の無いオペレータには参照させることができないよう秘匿すべき項目情報が含まれる場合がある。
金融機関などでは、暗証番号、口座番号、顧客の氏名などの情報が秘匿すべき項目情報に相当する。権限の無いオペレータに秘匿項目情報の内容が漏洩することを防止するために下記特許文献の発明では、参照オペレータに秘匿項目情報が漏洩することを防止する帳票データ化システムが提案されている。
【０００３】
文献によれば、画像データの暗証番号等の秘匿すべき項目情報をブラインド表示するために予め設定した定義ファイルを用いる。定義ファイルには、秘匿すべき項目と、その項目情報の位置情報等が記載されている。帳票の画像データに対し、定義ファイルに記載された位置をブラインド加工することによって、秘匿すべき項目情報の表示が阻止されるので、上記参照オペレータによる情報漏洩を防止することが可能になる。
【特許文献１】特開２００６−３１８１００号公報
【発明の開示】
【発明が解決しようとする課題】
【０００４】
しかしながら、上記文献のシステムには、以下の課題があった。同様式の帳票でブラインド加工する項目情報の位置情報が同じ帳票であれば、同一の定義ファイルを使用できるが、帳票には暗証番号記載部の位置が異なる等、様々なフォーマットがある。即ち、フォーマットの相違する多数の帳票が、使用されているため、フォーマットの相違する帳票毎に定義ファイルを作成する必要があり、時間を要する。さらに、予め設定しておくことができない帳票、つまり、顧客が自由に持ち込む帳票などシステムで事前に特定できない帳票には対処することができなかった。
【０００５】
本発明の目的は、上記問題を鑑みて、定義ファイルを設定しておくことなく、帳票の画像データに容易にブラインド加工を付加することのできる画像入力システム、帳票ブラインド処理方法、及びその方法を実行するコンピュータプログラムを提供することにある。
【課題を解決するための手段】
【０００６】
〈構成１〉
本発明は、複数の項目から成る帳票の画像データについて、当該帳票の秘匿すべき各項目情報をブラインド処理する画像入力システムであって、帳票の各項目情報の記入位置に対応する位置に各ブラインドマークが記入されているマーク記入票から画像データを読み取るための読取手段と、マーク記入票の画像データから各ブラインドマークの記入されている各マーク領域を検出するマーク領域検出手段と、帳票から読み取った画像データの各項目情報に対応する各領域を各マーク領域に基づいて各ブラインドデータに変換して加工画像データを生成する領域加工部と、加工画像データを格納するための記憶部とを含み、マーク記入票には、帳票の各項目に付与された権限情報を示す形式で各ブラインドマークが記入され、マーク領域検出手段は、記入された各ブラインドマークの形式を読み取って権限情報を検出し、領域加工部は、加工画像データ生成に際し、権限情報に応じた項目情報に対応する各領域を各ブラインドデータに変換することを特徴とする。
【０００７】
〈構成２〉
他の発明は、複数の項目から成る帳票の画像データについて、当該帳票の秘匿すべき各項目情報をブラインド処理する方法であって、帳票の各項目情報の記入位置に対応する位置に各ブラインドマークが記入されているマーク記入票から画像データを読み取ること、マーク記入票の画像データから各ブラインドマークの記入されている各マーク領域を検出すること、帳票から読み取った画像データの各項目情報に対応する各領域を各マーク領域に基づいて各ブラインドデータに変換して加工画像データを生成すること、加工画像データを記憶部に格納することと、マーク記入票には、帳票の各項目に付与された権限情報を示す形式で各ブラインドマークが記入され、マーク領域の検出に際し、記入された各ブラインドマークの形式を読み取って権限情報を検出し、加工画像データの生成に際し、権限情報に応じた項目情報に対応する各領域を各ブラインドデータに変換することを特徴とする。
【発明の効果】
【０００９】
本発明によれば、帳票の裏面や帳票とは別のマーク記入票にブラインド表示用のマークを記載し、帳票の裏面の場合は両面スキャナーで帳票の両面を読み込むことで、マーク記入票の場合は帳票とマーク記入票をロット型スキャナーで連続して読み込むことで帳票の画像データにブラインド加工が付加されるので、定義ファイルを予め設定することなくブラインド表示を行うことができる。
【発明を実施するための最良の形態】
【００１０】
以下、本発明の実施形態について図を用いて説明する。
【実施例１】
【００１１】
図１は、実施例１の画像入力システムのシステム構成図である。
図に示すように、本発明の画像入力システム３００は、スキャナー１００と画像処理装置２００を備えている。スキャナー１００は、表面画像読み取り部１０１と、裏面画像読み取り部１０２とを有し、帳票両面を同時に読み込み可能な、例えば、シートフィーダ方式などの画像読み取り装置である。
【００１２】
一方、画像処理装置２００は、表面画像記憶部２０１、裏面画像記憶部２０２、ブラインド領域検出部２０３、ブラインド領域検出結果記憶部２０４、ブラインド領域加工部２０５、ブラインド加工画像記憶部２０６、画像出力部２０７を有し、スキャナー１００から受け入れた画像データを処理する。画像処理装置２００は、例えば、ＰＣなどの演算機能を有する装置である。
【００１３】
実施例１では、金融機関等で取り扱う帳票の画像入力手段について述べるので、各構成の説明をする前に入力対象となる帳票について図を用いて説明する。
図２は、実施例１の帳票の表面の説明図である。
図に示すように、帳票の表面には、住所、氏名、捺印、生年月日、店番号、口座番号、暗証番号等が記載されている。
【００１４】
図３は、実施例１の帳票の裏面の説明図である。
図に示すように、帳票の裏面には、実施例１で捺印欄並びに暗証番号欄を覆い隠す目的のブラインドマーク１ａ、１ｂが記載されている。ブラインドマーク１ａ、１ｂは、帳票を表面から透過して見た場合に捺印欄並びに暗証番号欄を全て含む領域で記載されている。
この帳票は、スキャナー１００によって、両面同時に読み込まれる。
【００１５】
図１に戻って、表面画像読み取り部１０１は、図２で示す帳票表面の主情報をスキャンする部分であり、得られた画像データはワーク領域の記憶部である表面画像記憶部２０１に格納される。
【００１６】
裏面画像読み取り部１０２は、図３で示す帳票裏面に記載されたブラインドマーク１ａ、１ｂの画像をスキャンする部分であり、得られた画像データはワーク領域の記憶部である裏面画像記憶部２０２に格納される。
【００１７】
ブラインド領域検出部２０３は、帳票裏面の画像データが裏面画像記憶部２０２に格納されると、その画像データを用いて画像処理で図３に示すブラインドマーク１ａ、１ｂを読み取り、マークの個数とマークの位置情報を検出する。位置情報は、ブラインドマーク１ａであれば、Ｘ＝６０ｍｍ、Ｙ＝４０ｍｍ、Ｗ＝１０ｍｍ、Ｈ＝１５ｍｍといった形式で表され、基準位置が（Ｘ、Ｙ）＝（６０，４０）で、幅１０ｍｍ、高さ１５ｍｍであることを示す。同様に、ブラインドマーク１ｂであれば、Ｘ＝１０ｍｍ、Ｙ＝３ｍｍ、Ｗ＝４５ｍｍ、Ｈ＝１５ｍｍといった形式で表され、基準位置が（Ｘ、Ｙ）＝（１０、３）で、幅４５ｍｍ、高さ１５ｍｍであることを示す。なお、ブラインド加工する際には、水平方向に反転して用いる。
【００１８】
ブラインド領域検出結果記憶部２０４は、上述のブラインドマークの各情報が格納される部分である。ブラインド領域加工部２０５は、ブラインド領域検出結果記憶部２０４に格納されているブラインドマークの各情報と、表面画像記憶部２０１に格納された画像データを読み込む。そして、ブラインド領域加工部２０５は、ブラインドマークの各情報を用いて表面の画像データにブラインド加工を付加する。その１例を以下に示す。
【００１９】
図４は、実施例１のブラインド加工された画像データの説明図である。
図に示すように、画像データには、捺印欄並びに暗証番号欄にブラインド加工が付加されている。
【００２０】
図１に戻って、ブラインド加工画像記憶部２０６は、ブラインド領域加工部２０５で作られたブラインド加工された画像データを格納する記憶部である。画像出力部２０７は、ブラインド加工画像記憶部２０６に格納された画像データを画像処理装置２００のモニタ画面に出力する部分である。
【００２１】
以上説明した実施例１の画像入力システムは、以下のように動作する。
図５は、実施例１の画像入力システムの動作フローチャートである。
図に示すフローチャートに従ってステップＳ１０１からステップＳ１０６までをステップ順に処理の流れについて説明する。
【００２２】
（ステップＳ１０１）
先ず、帳票の管理者である特定のオペレータは、帳票表面のブラインドすべき領域の裏面の対応する領域に塗りつぶしなどにより、画像処理で検出可能なブラインドマーク１ａ、１ｂを記載する。
【００２３】
マークは、領域の四隅の検出が可能な形状をもつものであればよい。図３のように、領域を塗りつぶす、または、領域を示す矩形枠を記載する方法でも構わない。なお、帳票の印刷製造の過程で裏面に予め印刷しておけば、帳票の管理者である特定のオペレータの作業は不要となる。
【００２４】
（ステップＳ１０２）
帳票の管理者である特定のオペレータが、帳票をシートフィーダ型のスキャナーにセットし、図示しない装置の開始操作を行うと、スキャナー１００は、帳票両面の画像を同時に読み込む。表面画像読み取り部１０１は、帳票表面の主情報をスキャンし、画像データを表面画像記憶部２０１に格納する。また、同時に、裏面画像読み取り部１０２は、帳票裏面のブラインドマーク１ａ、１ｂの画像をスキャンし、画像データを裏面画像記憶部２０２に格納する。
【００２５】
（ステップＳ１０３）
ブラインド領域検出部２０３は、裏面画像記憶部２０２に格納された画像データからマークの個数とブラインドマーク１ａ、１ｂの位置情報を検出し、結果をブラインド領域検出結果記憶部２０４に格納する。
【００２６】
（ステップＳ１０４）
ブラインド領域検出部２０３は、ブラインドマークが無ければ、画像出力部２０７に、その旨を通知し、ステップＳ１０６に進む。
【００２７】
（ステップＳ１０５）
ブラインド領域加工部２０５は、ブラインド領域検出部２０３からブラインドマークの検出を示す信号を受けると、ブラインド領域検出結果記憶部２０４に格納されたマークの個数とブラインドマーク１ａ、１ｂの位置情報を読み込み、更に表面画像記憶部２０１に格納された表面帳票の画像データも読み込む。ブラインド領域加工部２０５は、両者のデータを用いて帳票表面の画像データの位置情報で示す領域にブラインド加工を付加し、完了するとブラインド加工された画像データをブラインド加工画像記憶部２０６に格納すると共に画像出力部２０７に、その旨を通知する。
【００２８】
（ステップＳ１０６）
画像出力部２０７は、帳票の管理者である特定のオペレータが画像データ化を確認するにあたって、ステップＳ１０４でブラインドマークが無いと検出された場合は、表面画像記憶部２０１に格納された画像データを読み込み、装置モニタ上に表示する。オペレータは、その表示を確認することで、本来あるべきブラインド表示がないことを検出し、ブラインドマークの記載忘れ、記載方法のミス等に対して訂正処置を行って、再度、帳票の画像データ化を行う。
【００２９】
一方、ステップＳ１０５で加工された画像データが生成された場合には、画像出力部２０７は、ブラインド加工画像記憶部２０６に格納されたブラインド加工された画像データを読み込み、装置モニタ上に表示する。オペレータは、その表示を確認することで、ブラインド表示が適切な位置にあるのかどうかの確認を行い、適切でなければブラインドマークの訂正等を実施し、再度、帳票の画像データ化を行う。
【００３０】
以上のように実施例１では、ブラインド表示する領域を帳票裏面に記載すれば、ブラインド加工が付加されるので、事前登録が必要ないという点で登録にかかるコスト、データ管理にかかるコストが削減できるとともに、対象帳票の変更や追加などに高い柔軟性をもたらす。しかも、画像入力時にすでにブラインド加工が付加されるので、高度な情報漏洩対策が可能になる。
【実施例２】
【００３１】
本実施例では、ブラインドマークを記載したブラインド領域指定帳票を用意し、帳票と連続的にロット型スキャナーに読み込ませることにより、帳票の画像データにブラインド加工を付加させる。なお、実施例２で画像を読み込むスキャナーは、両面同時読み込み式のものでなくて構わない。
【００３２】
図６は、実施例２の画像入力システムのシステム構成図である。
図に示すように、実施例２の画像入力システム６００は、スキャナー４００と画像処理装置５００を備えている。実施例１と同一の部分については同一符号を使用し、説明を省略する。実施例１との相違点についてのみ下記に詳細に説明する
【００３３】
スキャナー４００は、帳票画像を読み取るための画像読み取り部４０１を有し、ブラインドマークを記載したブラインド領域指定帳票と帳票を連続的にスキャンさせるためのロット型スキャナー装置である。
【００３４】
一方、画像処理装置５００は、帳票画像記憶部５０１、ブラインド領域指定帳票画像記憶部５０２、ブラインド領域検出部５０３、ブラインド領域検出結果記憶部２０４、ブラインド領域加工部２０５、ブラインド加工画像記憶部２０６、画像出力部２０７を有し、スキャナー４００から受け入れた画像データを処理する。画像処理装置５００は、例えば、ＰＣなどの演算機能を有する装置である。
【００３５】
実施例２も実施例１同様、金融機関等で取り扱う帳票の画像入力手段について述べるので、各構成を説明する前に入力対象となる帳票並びにブラインド領域指定帳票について図を用いて説明する。
図７は、実施例２の帳票の説明図である。
図に示すように、帳票には、住所、氏名、捺印、生年月日、店番号、口座番号、暗証番号等が記載されている。
【００３６】
図８は、実施例２のブラインド領域指定帳票の説明図である。
図に示すように、ブラインド領域指定帳票には、実施例２で捺印欄並びに暗証番号欄を覆い隠す目的のブラインドマーク２ａ，２ｂが記載されている。ブラインドマーク２ａ，２ｂは、帳票の捺印欄並びに暗証番号欄に相当する部分を覆い隠すように記載されている。
以上、説明した両帳票はスキャナー４００により、別々に読み込まれる。
【００３７】
ブラインド領域指定帳票と帳票とは、連続的にスキャンさせるためにスキャナー４００に重ねてセットする。なお、重ねた帳票のどちらが帳票で、どちらがブラインド領域指定帳票かは、予め定義することが可能である。
【００３８】
図６に戻って、画像読み取り部４０１は、図７に示す主情報が記載された帳票、図８に示すブラインド領域指定帳票をそれぞれスキャンする部分であり、画像データはそれぞれ帳票画像記憶部５０１、ブラインド領域指定帳票画像記憶部５０２に格納される。
【００３９】
帳票画像記憶部５０１は、図７に示す主情報が記載された帳票の画像データを格納する部分である。ブラインド領域指定帳票画像記憶部５０２は、図８に示すブラインド領域指定帳票の画像データを格納する部分である。
【００４０】
ブラインド領域検出部５０３は、ブラインド領域指定帳票画像記憶部５０２に格納されたブラインド領域指定帳票の画像データを用いて、画像処理で図８に示すブラインドマーク２ａ、２ｂを読み取り、マークの個数とブラインドマーク２ａ、２ｂの位置情報を検出する。
【００４１】
それ以外に画像処理装置５００が有するブラインド領域検出結果記憶部２０４、ブラインド領域加工部２０５、ブラインド加工画像記憶部２０６、画像出力部２０７は実施例１と同様なので説明は省略する。
【００４２】
図９は、実施例２のブラインド加工された画像データの説明図である。
図に示すように、画像データには、捺印欄並びに暗証番号欄にブラインド加工が付加されている。
【００４３】
以上説明した実施例２の画像入力システムは、以下のように動作する。
図１０は、実施例２の画像入力システムの動作フローチャートである。
図に示すフローチャートに従ってステップＳ２０１からステップＳ２０７までをステップ順に処理の流れについて説明する。
【００４４】
（ステップＳ２０１）
先ず、帳票の管理者である特定のオペレータが、帳票と同サイズの無地の帳票を用意し、ブラインドすべき領域と同じ位置に塗りつぶしなどにより、画像処理で検出可能なブラインドマーク２ａ、２ｂを記載する。これで、ブラインド領域指定帳票が完成する。
【００４５】
マークは、領域の四隅の検出が可能な形状をもつものであればよい。図８のように、領域を塗りつぶす、または、領域を示す矩形枠を記載する方法でも構わない。
【００４６】
（ステップＳ２０２）
帳票の管理者である特定のオペレータが、帳票とブラインド領域指定帳票をスキャナー４００にセットし、図示しない装置の開始操作を行うと、スキャナー４００は、順次、各帳票を連続的に読み込む。先ず、画像読み取り部４０１が、ブラインド領域指定帳票をスキャンし、画像データをブラインド領域指定帳票画像記憶部５０２に格納する。
【００４７】
（ステップＳ２０３）
続いて、画像読み取り部４０１は、帳票をスキャンし、画像データを帳票画像記憶部５０１に格納する。
【００４８】
（ステップＳ２０４）
次に、ブラインド領域検出部５０３は、ブラインド領域指定帳票画像記憶部５０２に格納された画像データからマークの個数とブラインドマーク２ａ、２ｂの位置情報を検出し、結果をブラインド領域検出結果記憶部２０４に格納する。
【００４９】
（ステップＳ２０５）
ブラインド領域検出部５０３は、ブラインドマークが無ければ、画像出力部２０７に、その旨を通知し、ステップＳ２０７に進む。
【００５０】
（ステップＳ２０６）
ブラインド領域加工部２０５は、ブラインド領域検出部２０３からブラインドマークの検出を示す信号を受けるとブラインド領域検出結果記憶部２０４に格納されたマークの個数とブラインドマーク２ａ、２ｂの位置情報を読み込み、更に帳票画像記憶部５０１に格納された帳票の画像データも読み込む。ブラインド領域加工部２０５は、両者のデータを用いて帳票の画像データに、ブラインド加工を付加し、完了するとブラインド加工された図９に示す画像データをブラインド加工画像記憶部２０６に格納すると共に画像出力部２０７に、その旨を通知する。
【００５１】
（ステップＳ２０７）
画像出力部２０７は、帳票の管理者である特定のオペレータが画像データ化を確認するにあたって、ステップＳ２０５でブラインドマークが無いと検出された場合は、表面画像記憶部２０１に格納された画像データを読み込み、装置モニタ上に表示する。オペレータは、その表示を確認することで、本来あるべきブラインド表示がないことを検出し、ブラインド領域指定帳票に記載されたブラインドマークを確認し、記載方法のミス等に対して訂正処置を行って、再度、帳票の画像データ化を行う。
【００５２】
一方、ステップＳ２０６で加工された画像データが生成された場合には、画像出力部２０７は、ブラインド加工画像記憶部２０６に格納されたブラインド加工された画像データを読み込み、装置モニタ上に表示する。オペレータは、その表示を確認することで、ブラインド表示が適切な位置にあるのかどうかの確認を行い、適切でなければブラインドマークの訂正等を実施し、再度、帳票の画像データ化を行う。
【００５３】
以上のように実施例２では、ブラインド表示する領域をブラインド領域指定帳票に記載すれば、ブラインド加工が付加されるので、事前登録が必要ないという点で登録にかかるコスト、データ管理にかかるコストが削減できるとともに、対象帳票の変更や追加などに高い柔軟性をもたらす。しかも、画像入力時にすでにブラインド加工が付加されるので、高度な情報漏洩対策が可能になる。実施例１と比較して、実帳票の裏面への記載を必要としないため、現物保存の観点から有効である。
【実施例３】
【００５４】
本実施例では、ブラインド領域指定帳票に、帳票の秘匿すべき情報である暗証番号、捺印等の項目情報を参照オペレータの権限に応じて表示、非表示させるための権限識別可能なブラインドマークを記載し、参照オペレータが、帳票画像を表示させる際に予め入力した参照オペレータの権限により、ブラインド表示を制御する。
【００５５】
図１１は、実施例３の画像入力システムのシステム構成図である。
図に示すように、実施例３の画像入力システム９００はスキャナー４００と画像処理装置８００を備えている。
実施例１、２と同一の部分については、同一符号を使用し説明を省略する。実施例１、２との相違点についてのみ下記に詳細に説明する
【００５６】
画像処理装置８００は、帳票画像記憶部５０１、ブラインド領域指定帳票画像記憶部５０２、ブラインド領域検出部８０３、ブラインド領域検出結果記憶部８０４、ブラインド領域加工部８０５、ブラインド加工画像記憶部８０６、画像出力部２０７、権限情報格納部８０８とを有し、スキャナー４００から受け入れた画像データを処理する。画像処理装置８００は、例えば、ＰＣなどの演算機能を有する装置である。
【００５７】
また、上述の画像入力システム９００において生成される帳票画像データは、照合用ワークステーションにて参照オペレータが権限を入力した上で、照合用ワークステーションのモニタ上で表示される。
【００５８】
実施例３も実施例１、２同様、金融機関等で取り扱う帳票の画像入力手段について述べるので、各構成を説明する前に入力対象となる帳票並びにブラインド領域指定帳票について図を用いて説明する。
図１２は、実施例３の帳票の説明図である。
図に示すように、帳票には、住所、氏名、捺印、生年月日、店番号、口座番号、暗証番号等が記載されている。
【００５９】
図１３は、実施例３のブラインド領域指定帳票の説明図である。
図に示すように、ブラインド領域指定帳票には、参照オペレータの権限に応じて、特定項目情報をブラインドさせるためのブラインドマーク３ａ、３ｂが記載される。
【００６０】
ここで、ブラインドマークによる権限識別のルールについて説明する。
ブラインドマーク３ａ、３ｂは、参照オペレータの権限によってブラインドすべき項目情報を設定可能となるように複数の形式を有する。例えば、マークの色（黒、赤等）、記載方法（塗りつぶし、一本線の長方形、２重線の長方形等）などにより複数有し、権限の識別が可能である。
【００６１】
実施例３では、権限識別可能なブラインドマークとして、黒色塗りつぶしの長方形のブラインドマーク３ｂと黒色二重線の長方形のブラインドマーク３ａを用いる。そして、黒色塗りつぶしの長方形は権限１の参照オペレータがブラインドされる領域とし、黒色二重線の長方形は権限２の参照オペレータがブラインドされる領域とする。
【００６２】
なお、ブラインドマークによる権限識別のルールは、上述のように、役割別に定めるのではなく、参照オペレータのランクによって、権限識別を定め、ランクが低いマークの場合は、ランクの高い参照オペレータにはブラインドされないといった方法でも構わない。
上記、定めたブラインドマークによる権限識別のルールは、予め権限情報格納部８０８に格納されている。
【００６３】
図１１に戻って、ブラインド領域検出部８０３は、ブラインド領域指定帳票画像記憶部５０２に格納されたブラインド領域指定帳票の画像データを用いて、画像処理で図１３に示すブラインドマーク３ａ、３ｂを読み取る。ブラインドマークは、権限識別可能なように記載方法が異なるので、権限情報格納部８０８に格納されたブラインドマークによる権限識別のルールに則って、ブラインドマークを識別する。そして識別したブラインドマークの個数とブラインドマーク３ａ、３ｂの位置情報を検出する。
【００６４】
識別したブラインドマークの位置情報は、ブラインドマーク３ａであれば、権限２でＸ＝５０ｍｍ、Ｙ＝４０ｍｍ、Ｗ＝１０ｍｍ、Ｈ＝１５ｍｍといった形式で表され、基準位置が（Ｘ、Ｙ）＝（５０，４０）で、幅１０ｍｍ、高さ１５ｍｍであることを示す。同様に、ブラインドマーク３ｂであれば、権限１でＸ＝７０ｍｍ、Ｙ＝３ｍｍ、Ｗ＝４５ｍｍ、Ｈ＝１５ｍｍといった形式で表され、基準位置が（Ｘ、Ｙ）＝（７０、３）で、幅４５ｍｍ、高さ１５ｍｍであることを示す。
【００６５】
ブラインド領域検出結果記憶部８０４は、上述の識別した各マークの個数とブラインドマーク３ａ、３ｂの位置情報と権限情報とが格納される部分である。
【００６６】
ブラインド領域加工部８０５は、ブラインド領域検出結果記憶部８０４に格納されている識別した各マークの個数とブラインドマーク３ａ、３ｂの位置情報と、帳票画像記憶部５０１に格納された画像データを読み込む。そして、ブラインド領域加工部８０５は、識別した各マークの個数とブラインドマーク３ａ、３ｂの位置情報を用いて表面の画像データにブラインド加工を付加する。上述のとおり、権限の異なるブラインドマークがある場合には、権限毎のブラインド加工を付加した画像データを生成し、画像データには権限情報が付加される。
【００６７】
権限情報が付加されることで、照合用ワークステーションに帳票画像を表示させる際には、参照オペレータの権限に応じたブラインド加工が付加された画像データがモニタに表示される。その例を以下に示す。
【００６８】
下記に実施例３のブラインド加工された画像データについて説明する。
図１４は、実施例３の権限１の参照オペレータ用にブラインド加工された画像データの説明図である。図に示すように、ブラインド加工された画像データは、暗証番号欄のみにブラインドデータが付加されている。また、権限１の参照オペレータに対してブラインド加工が付加されたことを示す権限表示４ｂを右上に表示している。
【００６９】
図１５は、実施例３の権限２の参照オペレータ用にブラインド加工された画像データの説明図である。図に示すように、ブラインド加工された画像データは、捺印欄のみにブラインド加工が付加されている。また、権限２の参照オペレータに対してブラインド加工が付加されたことを示す権限表示４ａを右上に表示している。
権限表示４ａ、４ｂを表示させることで、権限ごとにブラインド表示がされているかが確認できる。
【００７０】
図１１にもどって、ブラインド加工画像記憶部８０６は、ブラインド領域加工部８０５で作られたブラインド加工された画像データを格納する記憶部である。上述のとおり、権限の異なるブラインドマークが複数ある場合には、権限ごとにブラインドマークの各情報を用いて表面の画像データにブラインド加工を付加した画像データが生成されるので、それらの画像データを全て格納する。なお、参照オペレータが、照合用ワークステーションに帳票画像を表示させる際には、参照オペレータの権限に応じてブラインド加工が付加された画像データのみを表示させる。
【００７１】
以上説明した実施例３の画像入力システムは、以下のように動作する。
図１６は、実施例３の画像入力システムの動作フローチャートである。
図に示すフローチャートに従ってステップＳ３０１からステップＳ３０７までをステップ順に処理の流れについて説明する。
【００７２】
（ステップＳ３０１）
先ず、帳票の管理者である特定のオペレータが、帳票と同サイズの無地の帳票を用意し、ブラインドすべき領域と同じ位置に画像処理で検出可能なブラインドマーク３ａ、３ｂを記載する。
【００７３】
マークは、図１３に示すように、権限１の参照オペレータ用には塗りつぶし、権限２の参照オペレータ用には二重線の矩形枠で形成する。
【００７４】
（ステップＳ３０２）
帳票の管理者である特定のオペレータは、帳票とブラインド領域指定帳票をスキャナー４００にセットし、図示しない装置の開始操作を行うとスキャナー４００は、順次、各帳票を連続的に読み込む。先ず、画像読み取り部４０１が、ブラインド領域指定帳票をスキャンし、画像データをブラインド領域指定帳票画像記憶部５０２に格納する。
【００７５】
（ステップＳ３０３）
続いて、画像読み取り部４０１は、帳票をスキャンし、画像データを帳票画像記憶部５０１に格納する。
【００７６】
（ステップＳ３０４）
次に、ブラインド領域検出部８０３は、ブラインド領域指定帳票画像記憶部５０２に格納された画像データから、ブラインドマーク３ａ、３ｂを検出する。ブラインド領域検出部８０３は、権限情報格納部８０８のマーク識別ルールを用いてマークを識別し、各マークの個数と各ブラインドマーク３ａ、３ｂの位置情報を検出し、ブラインド領域検出結果記憶部８０４に格納する。
【００７７】
（ステップＳ３０５）
ブラインドマークが無ければ、ブラインド領域検出部８０３は、画像出力部２０７にその旨を通知し、ステップＳ３０７に進む。
【００７８】
（ステップＳ３０６）
ブラインド領域加工部８０５は、ブラインド領域検出部８０３からブラインドマークの検出を示す信号を受けると、ブラインド領域検出結果記憶部８０４に格納された各マークの個数とブラインドマーク３ａ、３ｂの位置情報を読み込み、更に帳票画像記憶部５０１に格納された帳票の画像データも読み込む。マークが、図１３に示す塗りつぶしと２重線の矩形枠で記載されている場合に、ブラインド領域加工部８０５は、権限１であるブラインドマーク３ｂに対応したブラインド加工を付加した図１４に示す画像データと、権限２であるブラインドマーク３ａに対応したブラインド加工を付加した図１５に示す画像データを作成する。なお、各画像データには権限情報が付加される。ブラインド領域加工部８０５は、２つの画像データをブラインド加工画像記憶部８０６に格納すると共に画像出力部２０７に、その旨を通知する。
【００７９】
（ステップＳ３０７）
画像出力部２０７は、帳票の管理者である特定のオペレータが格納された画像データ化を確認するにあたって、ステップＳ３０５でブラインドマークが無い場合は、帳票画像記憶部５０１に格納された画像データを読み込み、装置モニタ上に表示する。オペレータは、その表示を確認することで、本来あるべきブラインド表示がないことを検出し、ブラインド領域指定帳票に記載されたブラインドマークを確認し、記載方法のミス等に対して訂正処置を行って、再度、帳票の画像データ化を行う。
【００８０】
一方、ステップＳ３０６で加工された画像データが生成された場合には、画像出力部２０７は、ブラインド加工画像記憶部８０６に格納されたブラインド加工された画像データを読み込み、装置モニタ上に表示する。なお、ステップＳ３０６で複数のブラインド加工された画像データが作成された場合は、それぞれを装置モニタ上に表示する。オペレータは、権限表示とブラインド項目を確認することで、権限に該当したブラインド表示が適切な位置にあるのかどうかの確認を行い、適切でなければブラインドマークの訂正等を実施し、再度、帳票の画像データ化を行う。
【００８１】
以上のように実施例３では、参照オペレータの権限を確認し、権限が無い項目情報については、ブラインド表示されることから、参照オペレータに権限の無い項目情報を把握される虞がなく、高度な項目情報の漏洩を防止することができる。
なお、参照オペレータの権限の取得は、照合用ワークステーションにログインする際、オペレータのＩＤに基づいてデータベースから取得するようにしてもよい。
【００８２】
なお、上述の実施の形態で説明した各機能は、ハードウエアを用いて構成しても良く、また、ソフトウエアを用いて各機能を記載したプログラムをコンピュータに読み込ませて実現してもよい。また、各機能は、適宜ソフトウエア、ハードウエアのいずれかを選択して構成するものであってもよい。
【図面の簡単な説明】
【００８３】
【図１】実施例１の画像入力システムのシステム構成図である。
【図２】実施例１の帳票の表面の説明図である。
【図３】実施例１の帳票の裏面の説明図である。
【図４】実施例１のブラインド加工された画像データの説明図である。
【図５】実施例１の画像入力システムの動作フローチャートである。
【図６】実施例２の画像入力システムのシステム構成図である。
【図７】実施例２の帳票の説明図である。
【図８】実施例２のブラインド領域指定帳票の説明図である。
【図９】実施例２のブラインド加工された画像データの説明図である。
【図１０】実施例２の画像入力システムの動作フローチャートである。
【図１１】実施例３の画像入力システムのシステム構成図である。
【図１２】実施例３の帳票の説明図である。
【図１３】実施例３のブラインド領域指定帳票の説明図である。
【図１４】実施例３の権限１のブラインド加工された画像データの説明図である。
【図１５】実施例３の権限２のブラインド加工された画像データの説明図である。
【図１６】実施例３の画像入力システムの動作フローチャートである。
【符号の説明】
【００８４】
１ａ、１ｂ、２ａ、２ｂ、３ａ、３ｂ  ブラインドマーク
４ａ、４ｂ  権限表示
１００、４００  スキャナー
１０１  表面画像読み取り部
１０２  裏面画像読み取り部
２００、５００、８００  画像処理装置
２０１  表面画像記憶部
２０２  裏面画像記憶部
２０３、５０３、８０３  ブラインド領域検出部
２０４、８０４  ブラインド領域検出結果記憶部
２０５、８０５  ブラインド領域加工部
２０６、８０６  ブラインド加工画像記憶部
２０７  画像出力部
３００、６００、９００  画像入力システム
４０１  画像読み取り部
５０１  帳票画像記憶部
５０２  ブラインド領域指定帳票画像記憶部
８０８  権限情報格納部
【図１】
0004973484.tif 000002
【図２】
0004973484.tif 000003
【図３】
0004973484.tif 000004
【図４】
0004973484.tif 000005
【図５】
0004973484.tif 000006
【図６】
0004973484.tif 000007
【図７】
0004973484.tif 000008
【図８】
0004973484.tif 000009
【図９】
0004973484.tif 000010
【図１０】
0004973484.tif 000011
【図１１】
0004973484.tif 000012
【図１２】
0004973484.tif 000013
【図１３】
0004973484.tif 000014
【図１４】
0004973484.tif 000015
【図１５】
0004973484.tif 000016
【図１６】
0004973484.tif 000017